(57)【要約】      （修正有）【課題】スーパーやコンビニ店で食品等のバラエティーパックとして販売したり、病院などの医療現場で投薬の過剰投与や薬剤の誤投与等の医療過誤を防ぐことができる連結容器を提供する。【解決手段】充填物として食品または飲料、あるいは医療用品または衛生用品が収容される有底筒部１の上端周方向にシール部２が形成され、該シール部より外周方向に１以上の突起３ａ、３ｂからなる連結部を四方に設けたフランジ４を備えて連結容器１０を形成する。前記連結部の少なくとも１箇所に他の連結容器の連結部を重ね、突起同士を嵌合することにより、互いに着脱自在に連結するようにした連結容器を提供する。突起部の形状が、一方の連結部とそれに対向する連結部とで異なることが好ましい。【選択図】図１
0003174032.tif 000002
【実用新案登録請求の範囲】
【請求項１】
充填物を収容する有底筒部の上端周方向にシール部が形成され、該シール部より外周方向に１以上の突起からなる連結部を四方に設けたフランジを有する連結容器であって、
前記連結部の少なくとも１箇所に他の連結容器の連結部を重ね、突起同士を嵌合することにより、互いに着脱自在に連結するようにした連結容器。
【請求項２】
突起が、各連結部に１以上設けられることを特徴とする請求項１に記載の連結容器。
【請求項３】
突起部の形状が、一方の連結部とそれに対向する連結部とで異なることを特徴とする請求項１に記載の連結容器。
【請求項４】
有底筒部に、充填物として食品または飲料が収容されることを特徴とする請求項１に記載の連結容器。
【請求項５】
有底筒部に、充填物として医療用品または衛生用品が収容されることを特徴とする請求項１に記載の連結容器。
【考案の詳細な説明】
【技術分野】
【０００１】
本考案は、連結容器に関し、より詳しくは、スーパーやコンビニ店で食品等のバラエティーパックとして販売したり、病院などの医療現場で投薬の過剰投与や薬剤の誤投与等の医療過誤を防ぐことができる連結容器に関する。
【背景技術】
【０００２】
スーパーやコンビニでは、魚介・畜肉・野菜・菓子・レトルト食品等がおおむね種類ごとに並べられ、販売されている。すなわち、魚介・畜肉・野菜・菓子・レトルト食品は、通常、魚介類、畜肉類、野菜類の単品毎に包装されており、魚介類と畜肉類、魚介類と野菜類、あるいは魚介類と野菜類というように組み合わせて販売されることは殆ど行われていない。
【０００３】
もし異なる内容物を包装した製品を複合して販売したい場合は、異なる包材（紙容器や袋）にセットアップして入れる必要があった。この場合、１つの容器に１以上の仕切りが設けられ、数種の内容物が各々入れられる。
【０００４】
しかし、内容物が仕切りで隔てられているとはいえ、例えば焼肉では輸送中等に仕切りを越えて、焼肉のタレのようなものが別な仕切り内へ移行してしまうことがあり、本来目的としている味付けが損なわれがちであった。また仕切り毎に内容物が違う場合は、盛り付けの際の作業性が悪い。また、容器に種類やサイズが異なる内容物を入れて蓋材をトップシールしようとすると、容器フランジ端部や更にその外側まで蓋材が存在することから、容器同士を連結することができない。
【０００５】
小分けが必要というニーズに対しては、特許文献１に記載されているような、収納部を分離できる食品保存容器が提案されている。しかし、これは異なる内容物を収納できるものではない。
【０００６】
そのため、特許文献２に記載されているように、ベースと、トップと、少なくとも２つの対向し収束する側壁と、第１の末端壁体とを有する１枚のシートから作られた食品用容器であって、周縁フランジが該容器のトップ周縁に延出し、垂下する突出部の形状の１又はそれ以上のオス型接続手段が一方の側壁の前記フランジに形成され、メス型接続手段が他方の側壁の前記フランジに形成され、これら接続手段を介して２つの食品用容器相互をそれらの側面に沿って取付け、連結させ、複数の食品用容器からなるアッセンブリーを形成するようにしたことを特徴とする食品用容器が提案されている。
しかしながら、このような食品容器は、４個までのユニット容器を組み合わせて全体が円形または角形の大皿になるように設計されており、充填できる食品の種類や量が限られ、販売形態や使用形態も柔軟性が欠ける。
【０００７】
また、工場で製造される食品は、雑菌をなくすために殺菌処理が行われるが、その殺菌処理は、対象となる食品の種類によって異なる手段、条件（ボイル殺菌１００℃未満やレトルト殺菌１００℃以上など）が採用されている。そのためチーズとソーセージ、ゼリーと羊羹では、異なる殺菌法が使用されており、これらの食品を組み合わせて販売することは困難であった。
異なる殺菌法で処理された内容物を組み合わせて販売する場合は、各々の包装した製品を別な包材で更にパッケージ化しなければならない。
【０００８】
一方、医療分野では次のような問題が顕在化している。例えば、痴呆の高齢者などが薬を飲み忘れたり、多数の薬を処方されていると薬の種類を間違えて飲んでしまうこともある。また、病院などでは、医師や看護士不足などにより、投薬の過剰投与が行われたり、点滴薬や注射薬のような薬剤の誤投与等の医療過誤が頻発している。
近年、医薬品をはじめ、ガーゼ、脱脂綿なども滅菌した状態でキット化した製品が市販されている。しかし、患者に合わせた薬剤等のキット、手術等に使用する器具のキットとなると見当たらず、有効な対策が存在しない。
【０００９】
このような状況にあって、容器に充填できる食品の種類や量を販売形態に応じて柔軟性を持たせることができ、病院などの医療現場で投薬の過剰投与や薬剤の誤投与等の医療過誤を防ぐことができるキット化した連結容器が必要とされていた。
【先行技術文献】
【特許文献】
【００１０】
【特許文献１】実開平７−１１５３８号公報
【特許文献２】特開２００６−２４８６１５号公報
【考案の開示】
【考案が解決しようとする課題】
【００１１】
本考案の目的は、前述した従来技術の問題点に鑑み、スーパーやコンビニ店で食品等のバラエティーパックとして販売したり、病院などの医療現場で投薬の過剰投与や薬剤の誤投与等の医療過誤を防ぐことができる連結容器を提供することにある。
【課題を解決するための手段】
【００１２】
本考案は、上記課題を解決するために、充填物を収容する有底筒部の上端周方向にシール部を形成し、該シール部より外周方向に１以上の突起からなる連結部を有する連結容器において、連結部を容器の四方のフランジに設けるようにして、前記連結部の少なくとも１箇所に他の連結容器の連結部を重ね、突起同士を嵌合することにより、互いに着脱自在に連結するようにした。
【００１３】
すなわち、本考案の第１の考案によれば、充填物を収容する有底筒部の上端周方向にシール部が形成され、該シール部より外周方向に１以上の突起からなる連結部を四方に設けたフランジを有する連結容器であって、
前記連結部の少なくとも１箇所に他の連結容器の連結部を重ね、突起同士を嵌合することにより、互いに着脱自在に連結するようにした連結容器が提供される。
【００１４】
また、本考案の第２の考案によれば、第１の考案において、突起が、各連結部に１以上設けられることを特徴とする連結容器が提供される。
【００１５】
また、本考案の第３の考案によれば、第１の考案において、突起部の形状が、一方の連結部とそれに対向する連結部とで異なることを特徴とする連結容器が提供される。
【００１６】
また、本考案の第４の考案によれば、第１の考案において、有底筒部に、充填物として食品または飲料が収容されることを特徴とする連結容器が提供される。
【００１７】
さらに、本考案の第５の考案によれば、第１の考案において、有底筒部に、充填物として医療用品または衛生用品が収容されることを特徴とする連結容器が提供される。
【考案の効果】
【００１８】
この連結容器は、フランジを特定の形状にし、突起を特定の形状・配置としたので、有底筒部に内容物を充填し、蓋材でシールし、また必要に応じて適宜の殺菌を行なった製品を任意に組み合わせて、１セットの製品とすることができる。
また、フランジと有底筒部の間にシール部を有するから、内容物を充填した後、トップの蓋材をシールすることにより、気密性を保ち、長期保存性を備えた食品容器として、内容物の保存性を延長することが可能になる。また殺菌方法の違う内容物が各々パックされた後に組み合わせることができ用途が広がる。
また、内容物として、薬品・薬剤やガーゼ、脱脂綿などの医療・衛生用品などを充填してキット化すれば、患者の状況に応じた物を、準備することができコストの削減になるだけでなく、病院などの医療現場における投薬の過剰投与や薬剤の誤投与等の医療過誤を防ぐことができる。
【図面の簡単な説明】
【００１９】
【図１】本考案の連結容器の外観を示す斜視図である。
【図２】本考案の連結容器に食品を充填し、上部をシールした状態を示す断面図である。
【図３】本考案の連結容器を１ユニット化し、その周囲に複数の連結容器を連結した状態を示す平面図である。
【図４】従来例の連結容器の収納部（Ａ）と、これを連結し大皿とした状態（Ｂ）を示す斜視図である。
【考案を実施するための形態】
【００２０】
以下、本考案の連結容器について、図面を参照しながら、詳細に説明する。
【００２１】
図１は、本考案の連結容器の斜視図であり、図２は、その容器内にハム・ソーセージなどの充填物を収容し、上部に蓋材を被せてシールした状態の断面図、図３は、ユニット容器化した容器を複数組み合わせて連結した状態を示している。
【００２２】
１．連結容器の構造
本考案の連結容器は、中央に充填物を収容する有底筒部１、その筒部の上部に蓋材でシールする縁（シール部）２と、さらにその外周に１以上の窪み（突起）３からなる連結部を四方に設けたフランジ４を有している。
【００２３】
本考案の特徴は、突起部３を有する四方に突出したフランジ４の形状にあり、フランジ以外の部分については、形状は特に制限されない。有底筒部１は、充填物の種類、大きさなどによって適宜決定すればよく、図１では底面が四角形であるが、円形、三角形、菱形などでもよい。また、有底筒部１の内径は、上下同等でもよく、上方ほど大きくなるようにしてもよい。
【００２４】
フランジ４は、容器同士の連結部となり、突起３が各連結部に１以上設けられている。突起３の数は、１あるいは３以上でもよいが、連結状態を確実にしながら、着脱を能率化するためには２個が好ましい。また、突起部の形状が、一方の連結部とそれに対向する連結部とで異なるようにする。
【００２５】
図１の連結容器では、右側に位置するフランジ２に長方形の窪み（突起３ａ）２個、それに対向する左側に位置するフランジに端部半円形の窪み（突起３ｂ）が２個形成されている。突起の形状は、これ以外にも、瓢箪形、小判形、円形、三角形、菱形などでもよい。
【００２６】
突起３ａは、他の同じ形状・大きさの連結容器をその周囲に１以上配置してから、他の容器の突起３ｂと嵌合して密着し、直線方向、平面方向に展開し、様々な大きさ・形状のものを提供することができる。連結する容器のユニット数は２個以上であり、上限はないが、取り扱い性から２〜６個が好ましい。図３には、ユニット化した容器１０を中央に４個連結し、さらにその上下左右に４個連結した状態を示している。
【００２７】
シール部２は、蓋材の周端部が被さるように、幅３〜１０ｍｍ程度の平坦な環状にする。シール性を確保し、かつ突起３による連結を確実にするために、フランジ面よりも若干突出させることができる。
【００２８】
本考案の連結容器のサイズは、用途によって異なるが、縦・横各１〜２０ｃｍ、高さ０．５〜１５ｃｍ、壁面の厚さが１００〜５００μｍ程度とする。すなわち、縦・横が各１ｃｍ程度の小さなものから、縦・横が各２０ｃｍ程度の大きなもの、また、高さ（筒体の深さ）が０．５ｃｍ程度の浅いものから、高さ１５ｃｍ程度の深いものまで、用途に応じて設計される。これにより、スープなどの液体を大容量で充填する場合や、ガーゼなど薄い医療用品を収容する場合にも幅広く使用することが出来る。
【００２９】
容器本体の材質は、食品や医療品などを安全かつ衛生的に充填しうるものであれば合成樹脂、アルミなどの軽金属、複合材料など特に制限されない。ただし、加工性、シール容易性、コストを考慮すれば、ポリエチレン、ポリプロピレン、塩ビ、ポリスチレン、ポリエチレンテレフタレート、ポリカーボネート等の合成樹脂が好ましい。ポリエチレンであれば、低密度ポリエチレン、線状低密度ポリエチレン、高密度ポリエチレンのいずれか、または、これらのブレンドであってもよい。
有底筒部には、充填物として食品または飲料、あるいは医療用品または衛生用品が収容される。
【００３０】
２．連結容器の製造と使用
本考案の容器本体は、様々な方法で製造しうるが、例えば、用途に応じたサイズの合成樹脂シートのロールをセットした後、有底筒部、シール部、１以上の突起からなる連結部を四方に設けたフランジが成形できる金型を取り付けた装置に供給し、所定の形状に成形し、フランジの周囲を切断する。容器本体は、同一形状であるから段重ねして次の工程に移動される。
【００３１】
次に、図２に示すように、容器有底筒部１の内部に、ハム・ソーセージなどの内容物１２を自動であるいは手で収容し、蓋材で有底筒部１を覆い、その後、容器フランジの内側で蓋材をカット及びシールできる包装機を用いることにより、フランジに連結部を設けるようにする。
【００３２】
容器有底筒部１の内部には、ガーゼ、脱脂綿、注射液などを入れることも出来る。ガーゼを例に取れば、１枚のみ必要な場合も多いため、１容器の中に、滅菌したものを、何枚か入れておけば良い。ガーゼには、４ｃｍ×４ｃｍ程度の小さな物から、１０ｃｍ×１０ｃｍ程度の大きな物など、種類も様々であり、脱脂綿においても、１個だけあるいは複数必要になることもあるが、所定の大きさの容器を選んで数枚あるいは３個位を充填しておけばよい。
注射液においても、静脈注射用のような２０ｍｌ程度の小容量のものから、点滴用であれば、２００ｍｌの大容量のものまで色々な種類がある。これら市販品を、必要量収納し組み合わせることで、医療現場の労働環境が改善され、誤投与等の医療過誤も防止できる。
【００３３】
蓋材としては、例えば、上質紙、クラフト紙、グラシン紙、合成紙等の紙、ポリエチレンテレフタレートフィルム、ポリブチレンテレフタレートフィルム、ポリエチレンフィルム、ポリプロピレンフィルム、ポリメチルペンテンフィルム、ポリカーボネートフィルム等のプラスチックフィルム、アルミニウム、ステンレス等の金属箔等の単体もしくは複合物である。これらの内、印刷性、折り復元性、引張り強度、光沢、ヒートシール性、粘着材との接着性等の観点からポリエチレン（ＰＥ）やポリプロピレン（ＰＰ）などポリオレフィン製合成紙が好ましい。厚さは、特に制限されないが、４０〜８０μｍ、好ましくは５０〜７０μｍである。
蓋材の表面には、文字・記号や絵柄などを適宜印刷することができる。印刷用インキとしては、有害成分を含まない植物性インキなどの使用が好ましい。蓋材の一端には手で剥がしやすくする摘み部分を形成することが好ましい。
【００３４】
こうして、魚介・畜肉・野菜・菓子・レトルト食品等形状が雑多なものが収容できるので、バラエティーパックとして用いたり、チーズとソーセージや、ゼリーと羊羹といった異なる殺菌法を使用するものを組み合わせて提供することができる。内容物を充填後、蓋材でシールし、必要により真空パックすることにより、気密性を保ち、長期保存性を備えた（食品）容器として、内容物を長期保存することができる。
【００３５】
さらには、患者に合わせた薬剤等のキット、手術等に使用する器具のキットなどとしても使用することができ、投薬の過剰投与や点滴薬や注射薬のような薬剤の誤投与等の医療過誤を防ぐことができ、病院や介護施設では、清潔な状況を保つことができ、感染防止等、医師、看護師、その他の医療スタッフの労働環境も改善できる。
なお、本考案の連結容器を、主として食品・飲料や医療・衛生用品へ利用する場合について説明したが、これに限らず、収納部には口径・長さや形状の違うボルト・ナット、ねじ、釘、ピン、クリップ、針などを充填してもよい。
【符号の説明】
【００３６】
１      有底筒部
２      シール部
３      突起
４      フランジ
５      内容物
１０    連結容器
１１    蓋材
【図１】
0003174032.tif 000003
【図２】
0003174032.tif 000004
【図３】
0003174032.tif 000005
【図４】
0003174032.tif 000006